(57)【要約】【課題】  微細ダストを一層効率よく集塵できるよう構造が改善された真空掃除機のサイクロン集塵装置を提供する。【解決手段】  １次サイクロン部と、該１次サイクロン部の周りに配置される複数の２次サイクロン部を一体に含むサイクロン胴体と、該サイクロン胴体の上部面に結合され、ごみの含まれた空気が流出入される複数の流路が形成された第１カバーと、前記複数の第２サイクロン部からそれぞれ吐き出される空気を集めて掃除機本体側に伝える第２カバー、及び前記サイクロン胴体の下部面に都合されて捕集されたごみを回収するダストカップとを含む構造である。【選択図】      図２  
2005224602.tif 000002
【特許請求の範囲】
【請求項１】
１次サイクロン部と該１次サイクロン部の周りに配置される複数の２次サイクロン部を一体に含むサイクロン胴体と、
該サイクロン胴体の上部面に結合され、ごみの含まれた空気が流出入される複数の流路が形成された第１カバーと、
前記複数の第２サイクロン部からそれぞれ吐き出される空気を集めて掃除機本体側に伝える第２カバーと、
前記サイクロン胴体の下部面に結合され捕集されたごみを回収するダストカップとを含むことを特徴とするサイクロン集塵装置。
【請求項２】
前記流路は、
前記２次サイクロン部それぞれに個別的に連結され、前記１次サイクロン部から吐き出される排気流を前記２次サイクロン部に進入させるダクトと、
前記２次サイクロン部から吐き出される空気を前記第２カバーにより密閉される空間に排出する吐出孔とを含むことを特徴とする請求項１に記載のサイクロン集塵装置。
【請求項３】
前記ダクトは、
前記吐出孔の周りを包むよう設けられることを特徴とする請求項２に記載のサイクロン集塵装置。
【請求項４】
前記ダクトは、
前記１次サイクロン部の出口と連結される第１区間と、前記第１区間と連結され前記２次サイクロン部側と連結される第２ 区間を含み、
前記第１区間と第２区間の連結部は彎曲点で形成され、前記彎曲点を中心に前記第１区間と第２区間は互いに反対の傾きを有することを特徴とする請求項２に記載のサイクロン集塵装置。
【請求項５】
前記ダクトは、
前記第１区間の密閉された上側面は前記１次サイクロン部側出口と連結される地点から彎曲点に向かって上昇曲線を有し、前記第２区間の密閉された上側面は彎曲点から前記２次サイクロン部側入口と連結される地点に向かって下降曲線を有することを特徴とする請求項４に記載のサイクロン集塵装置。
【請求項６】
前記上昇曲線の曲率半径は、前記下降曲線の曲率半径より緩やかに形成されることを特徴とする請求項５に記載のサイクロン集塵装置。
【請求項７】
前記ダクトは、
隣接された２次サイクロン部の旋回流方向が互いに反対になるよう設けられることを特徴とする請求項３に記載のサイクロン集塵装置。
【請求項８】
前記吐出孔は、
前記２次サイクロン部から吐き出される空気方向に突設されたことを特徴とする請求項２に記載のサイクロン集塵装置。
【請求項９】
前記吐出孔は、吐き出される空気の流路上に設けられるリブ部材を含むことを特徴とする請求項２に記載のサイクロン集塵装置。
【請求項１０】
前記リブ部材は、
前記吐出孔の断面積を両分する板状部材が前記吐出孔の長手方向に設けられることを特徴とする請求項９に記載のサイクロン集塵装置。
【請求項１１】
前記サイクロン胴体と前記第１カバーとの間に設けられ、前記１次及び２次サイクロン部それぞれを密封する密封部材を含むことを特徴とする請求項２に記載のサイクロン集塵装置。
【請求項１２】
前記密封部材は、
前記２次サイクロン部それぞれに対応する位置に形成された複数の貫通孔を含み、
前記複数の貫通孔は、前記２次サイクロン部の上側に進入される空気が偏心して回転流が形成されるよう前記ダクトの一部を密閉することを特徴とする請求項１１に記載のサイクロン集塵装置。
【請求項１３】
前記密封部材は、
前記サイクロン胴体に形成されたガイド部により設置位置が案内されることを特徴とする請求項１１に記載のサイクロン集塵装置。
【請求項１４】
前記第１カバーは、
前記第１および第２サイクロン部を密封できるように軟質の材質から形成されたことを特徴とする請求項２に記載のサイクロン集塵装置。
【請求項１５】
前記第１カバーは、
ゴムまたはＰＶＣのいずれかで形成されたことを特徴とする請求項１４に記載のサイクロン集塵装置。
【請求項１６】
前記第１カバーは、
前記ダクトの一部区間を密閉する流路形成部材が更に含まれたことを特徴とする請求項２に記載のサイクロン集塵装置。
【請求項１７】
１次サイクロン部と前記１次サイクロン部の周りに配置される複数の２次サイクロン部を一体に含むサイクロン胴体と、
前記サイクロン胴体の上部面に結合され、ごみの含まれた空気が流出入される複数の曲線流路が形成された第１カバーと、
前記複数の第２サイクロン部からそれぞれ吐き出される空気を集めて掃除機本体側に伝える第２カバーと、
前記サイクロン胴体と前記第１カバーとの間に設けられ、前記２次サイクロン部と対応する位置に所定形状を備え、前記２次サイクロン部の入口の断面積を調節する貫通孔を備える密封部材と、
前記サイクロン胴体の下部面に結合され捕集されたごみを回収するダストカップとを含むことを特徴とするサイクロン集塵装置。
【請求項１８】
前記複数の流路は、
前記２次サイクロン部それぞれに個別的に連結され、前記１次サイクロン部から吐き出される排気流を前記２次サイクロン部に進入させるダクトと、
前記２次サイクロン部から吐き出される空気を前記第２カバーにより密閉される空間に排出する吐出孔とを含むことを特徴とする請求項１７に記載のサイクロン集塵装置
【請求項１９】
前記ダクトは、
前記１次サイクロン部の出口と連結される第１区間と、該第１区間と連結され前記２次サイクロン部側と連結される第２区間を含み、
前記第１区間と第２区間の連結部は彎曲点で形成され、前記彎曲点を中心に前記第１区間と第２区間は互いに反対の傾きを有することを特徴とする請求項１８に記載のサイクロン集塵装置。
【請求項２０】
前記密封部材は、
前記ダクトの第１区間の一部と、前記ダクトの吐出孔を包んでいる第２区間の彎曲点から８０度ないし１００度間の区間を密閉することを特徴とする請求項１９に記載のサイクロン集塵装置。
【発明の詳細な説明】
【技術分野】
【０００１】
本発明は真空掃除機に係り、さらに詳しくは複数のサイクロン集塵装置が配置され微細ダストの捕集効率を向上させられるサイクロン集塵装置に関する。
【背景技術】
【０００２】
一般に、アップライト型またはキャニスタ型のような真空掃除機は、掃除機本体に連結され非掃除面に沿って移動される吸込ブラシを具備する。前記掃除機本体の内部はダストフィルタが着脱自在に設けられる集塵室と、吸入力を提供するモータが設けられるモータ駆動室とに区分される。このような構成において、モータが駆動されれば吸込ブラシに強力な吸入力が発生される。この吸入力により非掃除面に存在する埃及び各種ごみを含んだ空気が掃除機本体側に吸い込まれる。このような吸い込まれた空気は掃除機本体の集塵室に設けられたダストフィルタを経由して排出される。空気中に含まれた各種ごみは前記ダストフィルタで回収され、濾過された空気はモータ駆動室を経て外部に排出される。
【０００３】
しかし、前述したような一般の真空掃除機は、ダストフィルタを用いて埃及びごみを回収する構造よりなっているため、消耗品としてのダストフィルタを必ず具備すべきである。
【０００４】
また、ダストフィルタにごみが一杯になるとダストフィルタを交換すべきである。このようなダストフィルタを取り替えるとき、汚れたダストフィルタをユーザが手で交換するので不便であり、且つ非衛生的な問題がある。
【０００５】
これを勘案して、最近は集塵効率が高く、濾されたごみを除去した後引き続き半永久的に使用できるサイクロン集塵装置が幅広く開発され使用されている。前記サイクロン集塵装置は遠心分離原理を用いて空気から埃及びごみを分離し出す構造を備える。
【０００６】
ところが、前記サイクロン集塵装置の場合、従来のダスト紙袋や紙フィルタを使用する従来の真空掃除機に比べて微細ダストを捕集する能力に優れる。従って、使い勝手をよくすると共に、微細ダストを捕集できるよう集塵効率を向上させられるサイクロン集塵装置の開発が求められている。
【発明の開示】
【発明が解決しようとする課題】
【０００７】
本発明は前述したような点を勘案して案出されたもので、その目的は微細ダストをさらに効率よく集塵できるよう構造が改善された真空掃除機のサイクロン集塵装置を提供するところにある。
【課題を解決するための手段】
【０００８】
前述したような目的を達成するための本発明に係るサイクロン集塵装置は、１次サイクロン部と前記１次サイクロン部の周りに配置される複数の２次サイクロン部を一体に含むサイクロン胴体、前記サイクロン胴体の上部面に結合され、ごみの含まれた空気が流出入される複数の流路が形成された第１カバーと、前記複数の第２サイクロン部からそれぞれ吐き出される空気を集めて掃除機本体側に伝える第２カバーと、前記サイクロン胴体の下部面に結合され捕集されたごみを回収するダストカップとを含むことを特徴とする。
【０００９】
本発明の好ましい実施形態によれば、前記流路は前記２次サイクロン部それぞれに個別的に連結され、前記１次サイクロン部から吐き出される排気流を前記２次サイクロン部に進入させるダクトと、前記２次サイクロン部から吐き出される空気を前記第２カバーにより密閉される空間に排出する吐出孔とを含むことが良い。
【００１０】
そして、前記ダクトは、前記１次サイクロン部側と連結される第１区間と、前記２次サイクロン部側と連結される第２区間を含むことが好ましい。
【００１１】
また、前記ダクトは、前記第１区間と第２区間とが会う点を彎曲点にして、前記第１区間の密閉された上側面は前記１次サイクロン部側と連結される地点から彎曲点に向かって上昇曲線を有し、前記第２区間の密閉された上側面は彎曲点から前記２次サイクロン部側と連結される地点に向かって下降曲線を有することが良い。
【００１２】
この際、前記上昇曲線の曲率半径は、前記下降曲線の曲率半径より緩やかに形成されることが良い。
【００１３】
そして、前記ダクトは前記吐出孔の周りを包むよう設けられることが望ましく、隣接した２次サイクロン部の旋回流方向が互いに反対になるよう設けられることが良い。
【００１４】
また、前記吐出孔は、前記２次サイクロン部から吐き出される空気方向に突設されることが望ましく、吐き出される空気の流路上に設けられるリブ部材とを含むことが良い。この際、前記リブ部材は、前記吐出孔の断面積を両分する板状部材が、前記吐出孔の長手方向に設けられることが良い。
【００１５】
そして、前記サイクロン胴体と前記第１カバーとの間に設けられ前記１次及び２次サイクロン部それぞれを密封する密封部材とを含むことが良い。この際、前記密封部材は前記ダクトの第１区間と、前記ダクトの吐出孔を包んでいる第２区間の２０ないし３０％を密閉することを特徴とするサイクロン集塵装置。
【００１６】
そして、前記密封部材は、前記２次サイクロン部それぞれに対応する位置に形成される複数の貫通孔とを含み、前記複数の貫通孔は前記２次サイクロン部の上側に進入される空気が偏心して回転流が形成されるよう前記ダクトの一部を密閉することが良い。この際、前記密封部材は、前記サイクロン胴体に形成されたガイド部により設置位置が案内されうる。
【００１７】
一方、本発明の他の実施形態によると、前記第１カバーは、軟質のゴムあるいはゴムまたはＰＶＣのいずれかで形成されているため、前記第１及び第２サイクロン部を密封することも可能である。この場合、前記第１カバーは、前記ダクトの一部区間を密閉する流路形成部材が前記サイクロン胴体との間に設けられることができる。
【発明の効果】
【００１８】
以上のような本発明に係るサイクロン集塵装置によれば、大体積のごみは１次サイクロン部で１次的にろ過され、小体積のごみは２次サイクロン部で２次的にろ過されるため、集塵効率が向上される。
【００１９】
また、１次サイクロン部の上側で分散された空気が曲線で形成された流路を介して２次サイクロン部に偏心するよう進入されるため、急激な流路変更による摩擦力発生を防止することができ、それによる吸込効率損失が発生しない。
【００２０】
そして、第１カバーが軟質の材質から形成された場合、別の密封部材を必要としないので部品数及び製造単価を節約できる。
【発明を実施するための最良の形態】
【００２１】
以下、添付した図面に基づき本発明の好ましい実施形態を詳述する。
【実施例】
【００２２】
図１は本発明の好ましい実施形態によるサイクロン集塵装置の外観を示した斜視図である。同図によれば、サイクロン集塵装置１００は、サイクロン胴体１１０と、サイクロン胴体１１０の上側に結合される第１カバー１２０及び第２カバー１３０と、サイクロン胴体１１０の下部面に着脱自在に結合されるダストカップ１４０及びサイクロン胴体１１０及び第１カバー１２０間に設けられ吸込流失を防止する密封部材１５０を含む。
【００２３】
図２は前述したように構成された本発明に係るサイクロン集塵装置１００の分解斜視図であって、これを通して本発明に係るサイクロン集塵装置１００の構造をさらに詳述する。
【００２４】
サイクロン胴体１１０は、その胴体の中央付近に形成される１次サイクロン部１１１と、１次サイクロン部１１１の周りに配置される２次サイクロン部１１２が一体に形成される。１次サイクロン部１１１には、吸込ブラシ(図示せず)側と連結される吸込ポート１０１が偏心するよう連結される。吸込ポート１０１を介して進入されたごみを含む空気は、１次サイクロン部１１１の内部に沿って旋回流を形成しつつ下降するが、この際発生する遠心力によって含まれたごみが分離される。この分離されたごみはダストカップ１４０に回収される。
【００２５】
そして、１次サイクロン部１１１の中央は貫通形成され、図３に示したようにグリル部材１１６が着脱自在に結合される。グリル部材１１６は、１次サイクロン部１１１で遠心分離されたごみが逆流することを防止するためのもので、このグリル部材１１６を通過した空気が１次サイクロン部１１１の上側に排出される。
【００２６】
グリル部材１１６を通過して排出された空気は、第１カバー１２０に形成された流路１２５を介して２次サイクロン部１１２に進入される。２次サイクロン部１１２は、１次サイクロン部１１１の周面にＣ字形に複数個が配される２次サイクロン胴体１１２ａと２次サイクロン胴体１１２ａの下部面に貫通形成された貫通孔１１５を含む。
【００２７】
２次サイクロン胴体１１２ａは、図３に示されたように、上部面は広く下部面は狭いコーン(円錐)形状であることが好ましい。そして、貫通孔１１５は２次サイクロン胴体１１２ａで２次遠心分離される微細ゴミをダストカップ１４０に排気する。
【００２８】
第１カバー１２０は、サイクロン胴体１１０の上部面に結合されるもので、複数に備えられている２次サイクロン胴体１１２ａそれぞれと対応する位置に個別的に連結され、１次サイクロン部１１１から排出される空気を２次サイクロン部１１２へ伝達する流路１２５を備える。
【００２９】
流路１２５は、ダクト１２１及び吐出孔１２２を含んでいる。ダクト１２１は、１次サイクロン部１１１から排気される空気を２次サイクロン胴体１１２ａに伝達する。ダクト１２１は、図３ないし図５に示したように、１次サイクロン部１１１から排出される空気との摩擦力を減少させるため、密閉された上側面が曲線上の流路に形成されることが良い。すなわち、図４及び図５に示したように、最高高さ(ｈ)を有する点を彎曲点Aとする際、ダクト１２１の密閉された上部面は、前記１次サイクロン部１１１側出口と連結される部分から前記彎曲点(Ａ)までは上昇曲線C１を形成し、前記彎曲点Ａから２次サイクロン部１１２側と連結され２次サイクロン部１１２の入口１１２ｃを形成する部分までは下降曲線Ｃ２を形成することが良い。このような構成によれば、１次サイクロン部１１１から２次サイクロン部１１２に進入される空気の流路が急激に変わることを防止して、ダクト１２１の内部面と空気との摩擦力を減少させられる。
【００３０】
このように形成されたダクト１２１を通して進入された空気は、２次サイクロン部１１２の内周面に沿って回転しつつ、旋回流を形成しつつ１次サイクロン部１１１でろ過されなかった微細ダストを遠心分離する。そして、２次サイクロン部１１２で遠心分離された空気は吐出孔１２２を通して第１カバー１２０の上側に排出される。ダクト１２１の形状については追って詳述する。
【００３１】
吐出孔１２２は、図３及び図４に示したように、吐出孔１２２を通して排出される空気の流路上に設けられるリブ部材１２３が長手方向に設けられることが良い。すなわち、示されているように、リブ部材１２３は吐出孔１２２の断面積を両分する板状部材で設けられるが、このリブ部材１２３により、吐き出される空気の乱流発生を防止することができ、排気流揺動による吸込効率損失を最小化できる。
【００３２】
一方、第２カバー１３０は、図２及び図３に示したように、第１カバー１２０の上側に結合されるもので、複数の吐出孔１２２を通して排出された空気を一つに集めて、その上部面に設けられた連結孔１３１を通して掃除機本体側に設けられたモータ室(図示せず)にろ過された空気を伝える。望ましくは、その内周面が緩やかな曲線を有するよう形成させて、それぞれの吐出孔１２２から吐き出される空気と第２カバー１３０の内周面がぶつかりながら発生する摩擦力を減少させることが好ましい。
【００３３】
そして、ダストカップ１４０はサイクロン胴体１１０の下部面に着脱自在に設けられるもので、大きいごみが回収される部分と、小さい微細ダストが回収される部分が隔璧１４１により互いに区画される。隔璧１４１により１次及び２次サイクロン部１１１、１１２それぞれは第１カバー１２０を通じてだけ連通される。ダストカップ１４０はユーザがさらに容易に回収されたダストの量を確認できるよう透明部材で形成されることが好ましい。
【００３４】
図６は本発明に係る第１カバー１２０を上側から眺めた平面図であって、本図面に基づきダクト１２１及び吐出孔１２２の構造をさらに詳述する。
【００３５】
示した通り、ダクト１２１は一定長さの第１区間１２１ａと、前記彎曲点A以降に形成される第２区間１２１ｂを含んで、第２区間１２１ｂで吐出孔１２２を包むよう第１カバー１２０に一体に形成される。そして、隣接されたそれぞれの２次サイクロン部１１２に進入される旋回流が互いに反対方向になるよう、ダクト１２１が吐出孔１２２を包む位置を交代に変えさせる。これは、それぞれの２次サイクロン部１１２を通過して、吐出孔１２２を通して排出される空気が混ざりながら、第２カバー１３０により形成される空間部で乱流(turbulence)を形成することを防止するためである。
【００３６】
そして、それぞれのダクト１２１に設けられた第１区間１２１ａは隣接したダクト１２１のうちいずれか一つの第１区間１２１ａと密着配置することが好ましい。これを通して流出入される空気の流路を単純にし、金型作業を最大限簡略化して、生産コストを節減することができる効果が得られる。
【００３７】
曲線区間１２１ｂは２次サイクロン部１１２に進入される空気が旋回流を形成できるよう設けられるもので、曲線区間１２１ｂの円周率は２次サイクロン部１１２の上部面の円周率と対応するよう形成されることが好ましい。
【００３８】
そして、ダクト１２１と吐出孔１２２は一対で備えられ、それぞれの２次サイクロン部１１２毎に個別的に連結されることが好ましい。
【００３９】
一方、第１カバー１２０とサイクロン胴体１１０との間には吸込損失を防止するための密封部材１５０が図２に示されているように設けられる。
【００４０】
密封部材１５０は、図７に示したように２次サイクロン部１１２と対応する位置に貫通して形成された貫通孔１５１を備える。貫通孔１５１はダクト１２１の一部分を閉鎖できるよう形成される。すなわち、貫通孔１５１の一部区間はダクト１２１の曲線区間１２１ｂの円周率と対応して形成され、残り区間は第１区間１２１aと第２区間１２１ｂの一部区間が２次サイクロン部１１２と互いに密閉されるよう形成される。すなわち、図８に示された前記彎曲点Aから始まる彎曲点Ａからの内角(α)ほど回転される一部区間を密閉することによりこれを予備区間として設定して、２次サイクロン部１１２の入口１１２ｃの断面積を調節することができる。このように２次サイクロン部１１２の入口１１２ｃの断面積を調節して、２次サイクロン部１１２に進入される旋回流の流速を決められ、最適化された旋回流の流速を設定して、２次サイクロン部１１２における遠心分離がさらに円滑に発生できるようにすることが可能である。
【００４１】
本発明の好ましい実施形態によれば、第２区間１２１bが始まる彎曲点Ａからの内角(α)が９０°になる地点までを密封部材１５０が密閉できるよう、貫通孔１５１の形状が設けられることが好ましい。
【００４２】
すなわち、第１区間１２１ａと２次サイクロン部１１２は密封部材１５０により密閉され、彎曲点Aから９０°ほど回転された第２区間１２１ｂも密封部材１５０により密閉され、一部区間だけが２次サイクロン部１１２と連通しつつ２次サイクロン部１１２の入口を形成する。
【００４３】
従って、ダクト１２１を通過した空気は、曲線区間１２１ｂを経由してこそ、２次サイクロン部１１２の入口１１２ｃを通して２次サイクロン部１１２に進入できるため、２次サイクロン部１１２でさらに容易に旋回流を形成することができる。
【００４４】
このような構成により、曲線区間１２１ｂが終わる地点で２次サイクロン部１１２の入口１１２ｃが形成されれば、旋回流の乱流化を防止することができ、２次サイクロン部１１２における遠心分離がさらに円滑になされうる。
【００４５】
一方、密封部材１５０は、サイクロン胴体１１０に形成されたガイド部１１３(図２参照)に対応する位置に固定突起１５２が設けられ、前記固定突起によって結合位置がガイドされる。このような構成により、密封部材１５０はサイクロン胴体１１０にさらに容易に組み立てられる。
【００４６】
以下、添付した図面に基づき本発明に係るサイクロン集塵装置１００の動作を詳述する。
【００４７】
図３は本発明に係るサイクロン集塵装置１００の集塵方法を示した断面図である。同図によれば、吸込ポート１０１(図２参照)を通して吸込ブラシ(図示せず)側にからごみが含まれた空気が吸い込まれると、吸込ポート１０１は、１次サイクロン部１１１に偏心するよう連結されているので、吸い込まれる空気は図示された矢印のように、１次サイクロン部１１１の内周面に沿って旋回しつつ、ダストカップ１４０に旋回しつつ下降する。そして、ごみが含まれた空気は高速で旋回及び下降しつつ、含有されたごみなどが遠心分離され、１次的に大体積のごみは、ダストカップ１４０の床面に積もる。
【００４８】
一方、１次的にごみが分離された空気は、ダストカップ１４０の底面から再び上側に上昇しつつ、グリル部材１１６に形成された貫通孔を通して１次サイクロン部１１１の上部面に上昇しつつ、第１カバー１２０と衝突しつつ、第１カバー１２０に形成された複数の  ダクト１２１のそれぞれに分散される。
【００４９】
第１カバー１２０と衝突しつつ、ダクト１２１のそれぞれに分散された空気は、２次サイクロン部１１２側に進みながら、２次旋回気流を形成する。すなわち、ダクト１２１は、２次サイクロン部１１２の上部面に偏心するよう連結されるため、１次サイクロン部１１１で分散された空気は図３及び図４に示されたように、２次サイクロン部１１２の内周面に沿って回転しつつ下降する。
【００５０】
この際、発生される遠心力によって、１次サイクロン部１１１で分離できなかった小体積の微細ダストが分離され、貫通孔１１５を通してダストカップ１４０側に落ち、旋回を終えた空気は２次サイクロン部１１２の下部面で再び上昇しつつ、吐出孔１２２を通して第２カバー１３０により形成される空間部に吐き出される。
【００５１】
それぞれの吐出孔１２２から吐き出された空気は前記空間部で合流して、前記第２カバー１３０の上側に設けられた連結孔１３１を介して掃除機本体に設けられたモータ室(図示せず)に進んで、掃除機本体の外部に排出される。
【００５２】
従って、従来のサイクロン集塵装置とは違って、１次サイクロン部１１１で１次的にろ過された空気は、１次サイクロン部１１１の周りに配置された小サイズの２次サイクロン部１１２で２次的にろ過されるため、１次サイクロン部１１１でろ過できなかった微細なダストを２次サイクロン部１１２でろ過することができる。
【００５３】
一方、本発明の係る他の実施例によると、図９ないし図１１に示したように、第１カバー１２０は軟質のゴムまたはＰＶＣのいずれかの材質で形成され、前述したように、密封部材１５０なしにサイクロン胴体１１０と結合されることができる。
【００５４】
この場合、２次サイクロン部１１２の入り口を形成するために、サイクロン胴体１１０と第１カバー１２０との間には図１０および図１１に示したよう、ダクト１２１の一部区間を密閉する流路形成部材１６０が設けられる。
【００５５】
流路形成部材１６０はＹ型に形成されて、隣接した２つのダクト１２１の一部区間を同時に密閉する第１流路形成部材１６１と１つのダクト１２１を密閉する第２流路形成部材１６２を含んでいる。この流路形成部材１６０は第１カバー１２０がサイクロン胴体１１０と対面している部分に接して第２サイクロン部１１２の入り口１１２ｃ（図８参照）を形成する。係る流路形成部材１６０により形成された２次サイクロン部１１２の入り口１１２ｃを介して吸い込まれる空気は２次サイクロン胴体１１２ａで回転気流を形成するほどの十分な速度を有している。
【００５６】
以上のような本発明の他の実施例によると、第１カバー１２０がサイクロン胴体１１０と第１カバー１２０との間の空気の漏れを抑えることができるので密封部材１５０を省略することができる。一方、第１カバー１２０の材質はゴムまたはＰＶＣのいずれかで形成されることが好ましいが、これに限定されず、密封効果を高める材質であれば多様に変形させることができる。
【００５７】
以上、本発明を本発明の原理を例示するための好ましい実施形態と関連して示しかつ説明したが、本発明はそのように示しかつ説明されたままの構成及び作用に限られない。すなわち、本発明の属する技術分野において通常の知識を持つ者ならば特許請求の範囲の思想及び範疇を逸脱せず本発明に対する多数の変更及び修正が可能であることを良く理解できろう。従って、そのような全ての適切な変更及び修正と均等物も本発明の範疇に属することと見なされるべきである。
【産業上の利用可能性】
【００５８】
本発明は室内で使用される真空掃除機は勿論、産業用集塵装置のように多様なサイズの粒子を捕集する濾過装置に使える。
【図面の簡単な説明】
【００５９】
【図１】本発明に係るサイクロン集塵装置の斜視図である。
【図２】本発明に係るサイクロン集塵装置の分解斜視図である。
【図３】図２のIII-III断面図である。
【図４】図３のIV部分を拡大して示した断面図である。
【図５】本発明に係るサイクロン集塵装置のダクトを展開した状態を示す図である。
【図６】本発明に係る第１カバーの平面図である。
【図７】本発明に係る密封部材の平面図である。
【図８】本発明に係る第１カバーと密封部材が結合される場合、ダクトの開放面を示す図である。
【図９】本発明の他の実施例に係るサイクロン集塵装置の斜視図である。
【図１０】図９の分解斜視図である。
【図１１】本発明の他の実施例に係る第１カバーと流路形成部材が結合された場合、ダクトの開放面を示した図である。
【符号の説明】
【００６０】
１００    サイクロン集塵装置
１１０    サイクロン胴体
１１１    １次サイクロン部
１１２    ２次サイクロン部
１１３    ガイド部
１１５    貫通孔
１１６    グリル部材
１２０    第１カバー
１２１    ダクト
１２１ａ  第１区間
１２１ｂ  曲線区間
１２２    吐出孔
１２３    リブ部材
１３０    第２カバー
１３１    連結孔
１４０    ダストカップ
１４１    隔璧
１５０    密封部材
１６０    流路形成部材
【図１】
2005224602.tif 000003
【図２】
2005224602.tif 000004
【図３】
2005224602.tif 000005
【図４】
2005224602.tif 000006
【図５】
2005224602.tif 000007
【図６】
2005224602.tif 000008
【図７】
2005224602.tif 000009
【図８】
2005224602.tif 000010
【図９】
2005224602.tif 000011
【図１０】
2005224602.tif 000012
【図１１】
2005224602.tif 000013